(57)【特許請求の範囲】
【請求項１】
加熱室と、
前記加熱室の前面を覆う開閉可能な扉と、
前記加熱室内に配置された被調理物が載置される調理網と、
前記加熱室内の前記調理網の上方に配置された上側ヒータと、
前記加熱室内の前記調理網の下方に配置された下側ヒータと、
前記加熱室の壁面の外側に配置され、前記加熱室の壁面に形成された吸入口から吸入した前記加熱室内の空気を前記加熱室の壁面に形成された吹き出し口から前記加熱室内に吹き出す送風ユニットとを備え、
前記吹き出し口として、前記加熱室の壁面における前記調理網の配置位置よりも上方部分に形成された上部吹き出し口と、前記加熱室の壁面における前記調理網の配置位置よりも下方部分に形成された下部吹き出し口とを備え、
前記加熱室の底面壁が略平坦面として構成され、前記底面壁の前記下部吹き出し口の配置位置とは反対側の端部近傍に、前記底面壁から上方に向かう面を形成する反射板を備えたことを特徴とするオーブントースター。
【請求項２】
前記吸入口が、前記加熱室の壁面において、前記調理網の配置位置に相当する高さ部分に形成されている、請求項１記載のオーブントースター。
【請求項３】
前記送風ユニットが前記扉と対向する前記加熱室の背面壁の背面側に配置され、前記吸入口、前記上部吹き出し口、および、前記下部吹き出し口がいずれも前記背面壁に形成されている、請求項１または２に記載のオーブントースター。
【請求項４】
前記上部吹き出し口は、前記加熱室の上方側を向いた面に形成されている、請求項１〜３のいずれかに記載のオーブントースター。
【請求項５】
前記下部吹き出し口は、前記加熱室の下方側を向いた面に形成されている、請求項１〜４のいずれかに記載のオーブントースター。
【請求項６】
前記送風ユニットは、送風ファンとしてのシロッコファンを備え、前記加熱室の壁面の外側に形成された閉鎖空間内に前記シロッコファンが配置されるとともに、前記吸入口、前記上部吹き出し口、前記下部吹き出し口は、いずれも前記加熱室内の空間と前記閉鎖空間とを空間的に接続している、請求項１〜５のいずれかに記載のオーブントースター。
【発明の詳細な説明】
【技術分野】
【０００１】
本願はオーブントースターに関し、特に、加熱室内の空気を循環させる送風ユニットを備えたオーブントースターに関する。
【背景技術】
【０００２】
オーブントースターは、加熱室内に食パンなどの被調理物を載置する調理網を備え、調理網の上下に、それぞれが加熱室の左右方向に延在するように配置されたヒータによって、調理網上の被調理物を加熱、調理する。加熱室内に調理網が配置されたオーブン形状であるため、ポップアップ形式のトースターと比較して、ピザトーストなどの具材を載せた食パンをそのまま載置したり、餅を焼いたり、ピザやグラタンなどの被調理物の表面に焼き目を付けたりすることができる。また、調理網上に被調理物を載せた金属製の調理皿を載置して調理するなど、食パンをトーストする以外の多彩なメニューの調理が可能である。
【０００３】
しかし、比較的コンパクトな調理器具としてのオーブントースターの性格上、加熱室の大きさには一定の限界があり、調理網とヒータとの配置間隔を十分に確保することは難しい。このため、調理網上の位置によってヒータとの間の直線距離に無視できない差が生じ、調理網上に載置された被調理物の表面の各部分とヒータとの距離の差によって被調理物に焼きムラが生じる。
【０００４】
オーブントースターにおける被調理物の焼きムラ対策として、加熱室内の空気を循環させる送風ユニットを用いたコンベクション方式のオーブントースターが提案されている。
【０００５】
従来のコンベクション方式のオーブントースターは、加熱室の側面壁の外側に送風ユニットを配置し、調理網と上側ヒータとの間に吹き出し口を、また、調理網と下側ヒータとの間に吸入口を設け、調理網の上側から下側に空気を循環させて加熱室内部の温度分布を均一化しようとするものである（特許文献１、特許文献２参照）。また、加熱室側面壁の調理網と上側ヒータとの間に、中央に吸入口、その周囲に吹き出し口をまとめて配置したもの（特許文献３参照）、加熱室の背面の上端部分から前方に向けて空気を吹き出す構成のもの（特許文献４参照）も提案されている。
【先行技術文献】
【特許文献】
【０００６】
【特許文献１】特開平０９−２４３０９６号公報
【特許文献２】特開平１０−１４６２８０号公報
【特許文献３】特開平１０−  ５４５６６号公報
【特許文献４】特開２０１４−２１９１７３号公報
【発明の概要】
【発明が解決しようとする課題】
【０００７】
上記従来のオーブントースターでは、いずれも被調理物の上面を加熱する上側ヒータと被調理物との間に吹き出し口を設けて空気を送り込み、上側ヒータによって暖められた空気を加熱室内で循環させることにより加熱室内部の温度の均一化を図るものである。
【０００８】
このようなコンベクションタイプのオーブントースターでは、熱風循環を行わないタイプのオーブントースターと比べて加熱室内の温度分布をより均一化することができる。しかし、例えば調理網上に多数枚のパンを隙間無く並べて調理するような場合には、調理網上のパンが加熱室内を上下の空間に隔てる仕切り板として作用してしまう。このような場合には、特に調理網の上側の空間と比較して容量が小さい調理網の下側の空間では、十分に空気の循環が生じずに焼きムラが生じてしまうという問題が生じた。
【０００９】
本開示は、このような従来のオーブントースターにおける課題を解決するものであり、調理網上に被調理物が多く並べられたために、加熱室内の空間が上下に分断されてしまった場合でも、焼きムラの少ない調理が可能なオーブントースターを得ることを目的とする。
【課題を解決するための手段】
【００１０】
上記課題を解決するため本開示のオーブントースターは、加熱室と、前記加熱室の前面を覆う開閉可能な扉と、前記加熱室内に配置された被調理物が載置される調理網と、前記加熱室内の前記調理網の上方に配置された上側ヒータと、前記加熱室内の前記調理網の下方に配置された下側ヒータと、前記加熱室の壁面の外側に配置され、前記加熱室の壁面に形成された吸入口から吸入した前記加熱室内の空気を前記加熱室の壁面に形成された吹き出し口から前記加熱室内に吹き出す送風ユニットとを備え、前記吹き出し口として、前記加熱室の壁面における前記調理網の配置位置よりも上方部分に形成された上部吹き出し口と、前記加熱室の壁面における前記調理網の配置位置よりも下方部分に形成された下部吹き出し口とを備えたことを特徴とする。
【発明の効果】
【００１１】
本開示のオーブントースターは、吸入口から吸入された加熱室内部の空気を吹き出す吹き出し口として、調理網の配置位置よりも上方に配置された上部吹き出し口と、調理網の配置位置よりも下方に配置された下部吹き出し口とを備えている。このため、調理網上に載置された被調理物によって、加熱室内の空間が上下に分断された場合でも、それぞれの空間で良好な空気の循環を維持することができ、被調理物の焼きムラを低減することができる。
【図面の簡単な説明】
【００１２】
【図１】本実施形態にかかるオーブントースターの外観を示す斜視図である。
【図２】本実施形態にかかるオーブントースターの扉を開けた状態を示す斜視図である。
【図３】本実施形態にかかるオーブントースターの内部の構成を説明する、加熱室を前後方向に切断した断面図である。
【図４】本実施形態にかかるオーブントースターの内部の構成を説明する、加熱室を左右方向に切断した断面図である。
【図５】本実施形態にかかるオーブントースターの送風ユニットの構成を説明するための、斜め前方から見た分解斜視図である。
【図６】本実施形態にかかるオーブントースターの背面壁と送風ユニットの構成を示す要部拡大断面図である。
【図７】本実施形態のオーブントースターにおける、送風ファンによる空気の循環を説明するモデル図である。
【発明を実施するための形態】
【００１３】
本開示のオーブントースターは、加熱室と、前記加熱室の前面を覆う開閉可能な扉と、前記加熱室内に配置された被調理物が載置される調理網と、前記加熱室内の前記調理網の上方に配置された上側ヒータと、前記加熱室内の前記調理網の下方に配置された下側ヒータと、前記加熱室の壁面の外側に配置され、前記加熱室の壁面に形成された吸入口から吸入した前記加熱室内の空気を前記加熱室の壁面に形成された吹き出し口から前記加熱室内に吹き出す送風ユニットとを備え、前記吹き出し口として、前記加熱室の壁面における前記調理網の配置位置よりも上方部分に形成された上部吹き出し口と、前記加熱室の壁面における前記調理網の配置位置よりも下方部分に形成された下部吹き出し口とを備えている。
【００１４】
本開示のオーブントースターは、上記構成を備えることで、加熱室内において、調理網の配置位置よりも上側の部分と調理網の配置位置よりも下側の部分との両方の部分で、それぞれ空気の循環を生じさせることができる。このため、調理網上に載置された被調理物の上側面と下側面との両面における焼きムラを低減することができるとともに、調理網上に多くの被調理物が載置されて、加熱室内が調理網の上側の空間と下側の空間とに分離されてしまった場合でも空気の循環を確保でき、焼きムラの低減や効率のよい加熱調理を実現することができる。
【００１５】
上記本開示にかかるオーブントースターにおいて、前記吸入口が、前記加熱室の壁面において、前記調理網の配置位置に相当する高さ部分に形成されていることが好ましい。このようにすることで、上部吹き出し口と下部吹き出し口とから吹き出された空気が、調理網上を通って吸入口から吸入されるため、加熱室内における、調理網の配置位置の上側の空間と下側の空間とにおいてより良好に空気を循環させることができる。
【００１６】
また、前記送風ユニットが前記扉と対向する前記加熱室の背面壁の背面側に配置され、前記吸入口、前記上部吹き出し口、および、前記下部吹き出し口がいずれも前記背面壁に形成されていることが好ましい。このようにすることで、通常加熱室内で左右方向に配置されている加熱ヒータによって効果的に循環する空気を暖めることができ、さらに、暖められた空気を比較的低温となりやすい扉の内面に到達させて加熱室内の温度の均一性を向上させることができる。
【００１７】
さらに、前記上部吹き出し口は、前記加熱室の上方側を向いた面に形成されていることが、また、前記下部吹き出し口は、前記加熱室の下方側を向いた面に形成されていることが好ましい。このようにすることで、加熱室の上側の空間と下側の空間において、より大きな空気の循環を行わせることができるので、それぞれの空間における温度の均一化を図ることができる。
【００１８】
さらにまた、前記送風ユニットは、送風ファンとしてのシロッコファンを備え、前記加熱室の壁面の外側に形成された閉鎖空間内に前記シロッコファンが配置されるとともに、前記吸入口、前記上部吹き出し口、前記下部吹き出し口は、いずれも前記加熱室内の空間と前記閉鎖空間とを空間的に接続していることが好ましい。このようにすることで、送風ファンの回転翼の回転軸近傍から吸い込まれた空気を回転翼の回転方向外側に吹き出すシロッコファンの特長を活かして、一つのファンで、加熱室内の上下の空間での空気の循環を実現することができる。
【００１９】
（実施の形態）
以下、本願で開示するオーブントースターについて、具体的な実施形態を用いて説明する。なお、以下では、加熱室内の温度を均一化して被調理物の焼きムラを低減させるために、加熱室内で空気を循環させるコンベクション方式のオーブントースターであって、なおかつ、蒸気発生ユニットを備えて加熱室内に蒸気を送り込んで被調理物に適度な湿り気を与えながら加熱調理を行うことができるスチーム調理機能が付いたオーブントースターを例示する。
【００２０】
図１は、本実施形態にかかるオーブントースターの外観を示す斜視図である。
【００２１】
本実施形態のオーブントースターは、図１に示すように、オーブントースターの外殻を構成し内部に加熱室を有する筐体１０と、筐体１０の前方側に配置されて筐体１０内に配置された加熱室の前面を覆う開閉可能な扉２０と、筐体１０の前面における扉２０の下方位置に配置された操作部３０とを備えている。
【００２２】
なお、以下本明細書では、オーブントースターを通常の使用状態としてテーブルなどの載置台に載置して扉に正対したユーザから見た方向に基づいて、オーブントースターの前後、左右、上下それぞれの方向を定め、適宜これらの各方向を用いてオーブントースターを構成する各部材の配置について説明するものとする。具体的には、図１に示す斜視図において、図の左手前側がオーブントースターの前方、右奥側がオーブントースターの後方となる。また、図１の左右方向がオーブントースターの左右方向、図１の上下方向がオーブントースターの上下方向となる。
【００２３】
本実施形態のオーブントースターにおいて、筐体１０の下方には加熱室内でこぼれたパン屑などを受け止めるとともに、蒸気を用いた調理時に発生した水蒸気が加熱室の壁面などに結露した後に液体となって底面へ集まった排水を受け止めるためのトレー１１が配置されている。トレー１１は、手前側に引き出して取り外すことが可能である。また、筐体１０の下面には、オーブントースターをテーブルなどの載置台に載置する際の脚部１２が形成されている。
【００２４】
扉２０は、本実施形態のオーブントースターでは、上端部分に配置された把手２１を手前下側に倒すことで開けることができる。
【００２５】
扉２０下方の左右両端部分は下方に延在する接続部２２となっていて、接続部２２の下端側先端部分には、筐体１０と扉２０とを接続するヒンジ機構２４（図２参照）が設けられている。また、扉２０の一対の接続部２２に挟まれた中央部分は切り欠かれたようになっていて、図１に示すように扉２０を閉めた状態で、筐体１０の前面下部に配置された操作部３０が前方側に露出するようになっている。
【００２６】
扉２０には、加熱室内部の被調理物の状態が把握できるように、ガラス製の窓部２３が形成されていて、扉２０を閉じた状態でも加熱室内の調理網４１や、被調理物などの様子を見ることができる。なお、図１と図２では、調理網４１は骨格部分である枠体のみを図示し、実際にパンなどの被調理物が載置される編み目部分の図示は省略している。
【００２７】
操作部３０には、加熱時間や加熱温度を設定、調節するための複数個の操作つまみ３１、ヒータの加熱状態を切り替える切り替えボタンや、各種の調理メニューに対応可能とするメニューボタンなどの複数個の操作ボタン３２が配置されている。
【００２８】
なお、操作部３０の操作つまみ３１や操作ボタン３２の配置個数や配置場所などは、図１に示したものに限られず、オーブントースターで調理可能な調理メニューに対応させて、適宜必要なものを必要な個数、デザイン面も考慮して配置されるべきものである。また、操作部３０には、調理メニューの設定状況やオーブントースターの各種状態を表示するための液晶パネルなどを用いた表示パネルや、ＬＥＤランプをはじめとする各種の報知ランプ類を配置することができる。
【００２９】
操作部３０の左側端部には、蒸気を用いた調理を行う際に用いられる水を供給するための貯水タンク３３が配置されている。貯水タンク３３は、ユーザが手前側に引き出して取り外すことができ、その内部に所定量の水を容易に供給できるようになっている。貯水タンク３３は、操作部３０の左側端部の所定位置に挿入された際に図示しない給水管に接続される。貯水タンク３３内の水は、給水ポンプ６３（図４参照）によって蒸気を生成する後述の蒸気ユニット６４（図４参照）へと供給される。
【００３０】
図１に示すオーブントースターの構成では、扉２０下方の左右両端部分の先端部にヒンジ機構が設けられ、扉２０が手前側に倒れるように開く構成のものを図示した。しかし、本実施形態にかかるオーブントースターの扉の開閉方向はこの限りではなく、扉の右側端部もしくは左側端部にヒンジ機構が形成されていて、扉を右または左方向に回動して開閉可能とする構成を採用することができる。
【００３１】
また、本実施形態のオーブントースターとして、操作部３０を筐体１０の前面下方に設けて扉２０が閉じられたときに操作部３０が前面に露出する構成のものを例示したが、操作部の配置場所は例示したものには限られない。例えば、扉が加熱室の前面側全体を覆う形状として、操作部を扉に形成された窓部の上下左右いずれかの周辺部分に配置することができる。また、筐体の左右方向中心に対して、加熱室の左右方向中心を左右いずれかの方向に偏心させて配置し、加熱室の位置が左右方向にずれたことによって生じる筐体と加熱室との間隙部分の前面に操作部を配置する構成とすることができる。さらに、操作部の配置位置に関係なく、操作部に配置される一部の操作ボタンなどを、筐体の上面や側面などオーブントースターの前面側以外の部分に配置することも可能である。
【００３２】
図２は、本実施形態にかかるオーブントースターの扉２０を開いた状態を示す斜視図である。
【００３３】
図２に示すように、本実施形態のオーブントースターは、扉２０下側の左右両端部分に形成された接続部２２の先端部分と筐体１０前面の左右両端部の下端部とが、ヒンジ機構２４で接続されていて、ユーザが把手２１を手前側下方に引き下ろすようにすることで、扉２０が図２中矢印Ａとして示す方向に回動して開く構成となっている。
【００３４】
本実施形態のオーブントースターは、筐体１０内に形成された加熱室５０内部に配置される調理網４１が、加熱室５０の両側面の壁部に形成された支持部材４２（図３および図４参照）上を前後方向にスライドすることができる。扉２０の内面には、窓部２３の両側部分に一対のフック部材２５が形成されている。フック部材２５の先端部は環状に形成されていて、この環状部分の中に調理網４１の前方に配置された横方向に伸延する枠体４１ａの左右両端部分が挿通されているため、扉２０を開く動作に連動して、フック部材２５は調理網４１に対する姿勢を変えながら調理網４１を前方側へと引き出すように作用する。
【００３５】
このため、調理網４１は、扉２０の開閉動作に連動して加熱室５０の両側面に形成された支持部材４２上を前方へとスライドして、扉２０を完全に開けた状態では扉２０の内面側の上方の位置まで引き出され、被調理物である食パンなどの調理網４１上への載置と調理網４１上からの取り出しとを容易に行うことができる。また、扉２０を閉じる動作に連動して調理網４１は後方側へと移動し、扉２０が完全に閉じられた状態で、調理網４１とその上に載置される被調理物とが加熱室５０内の所定の調理位置に収容される。
【００３６】
なお、調理網４１は、本実施形態で用いているように骨格部分である枠体と被調理物が載置される編み目部分とが一体に形成されたものに限られず、例えば、枠状の調理網載置部材と、この調理網載置部材の上に載置される調理網との２つの部材で形成することができる。
【００３７】
図３は、本実施形態のオーブントースターの内部の構成を示すための断面図である。図３は、本実施形態にかかるオーブントースターの左右方向における中央位置での断面を右側方から見た状態を図示している。
【００３８】
また、図４は、本実施形態のオーブントースターの内部の構成を示すための別方向からの断面図であって、本実施形態にかかるオーブントースターの前後方向における中央位置での断面を前方から見た状態を図示している。
【００３９】
図３に示すように、扉２０が閉じている状態で、調理網４１は、加熱室５０内部において前後方向の略中央部分に位置している。
【００４０】
本実施形態にかかるオーブントースターは、加熱室５０内部に収容された状態の調理網４１の前後方向における中央部分の上方に、上側ヒータ５１が配置されている。また、加熱室５０の調理網４１の下側に、加熱室５０の前方側に位置する第１の下側ヒータ５２と、加熱室５０の後方側に位置する第２の下側ヒータ５３との２本の下側ヒータを備えた構成となっている。
【００４１】
オーブントースターに用いられている上側ヒータ５１としては、一例として、外径が１２ｍｍ、長さが３２０ｍｍ、定格６１０Ｗの石英管ヒータを用いることができる。また、第１の下側ヒータ５２および第２の下側ヒータ５３としては、一例として、外径が１２ｍｍ、長さが３２０ｍｍ、定格３４５Ｗの石英管ヒータを用いることができる。なお、本実施形態のオーブントースターとして用いられるヒータとしては、上記の他に６００Ｗから７００Ｗ程度のシーズヒータなど、各種のヒータを用いることができる。
【００４２】
図４にも示すように、本実施形態のオーブントースターでは、３つのヒータ５１、５２、５３は、加熱室５０内でいずれもオーブントースターの左右方向に延在するように配置されている。ここで、３つのヒータ５１、５２、５３は、それぞれのヒータの両端部が、オーブントースターの加熱室５０内での前後位置および上下位置が略等しくなるように、すなわち、製造上の誤差などを除いて正確に水平状態を保ってかつ正確に左右方向に向くように配置されている。また、調理網４１上に載置される被調理物をなるべく均一に加熱するために、図３の断面図に現れる３つのヒータ５１、５２、５３が頂点を形成する三角形の中心部分に、調理網４１の前後方向における中央部分が位置するように配置される。
【００４３】
加熱室５０は、上面を構成する上面壁５４、扉２０と対向して背面を構成する背面壁５５、上面壁５４と対向して下面を構成する底面壁５６と、上面壁５４、背面壁５５、底面壁５６に連続して左右の側面を形成する互いに対向した一対の側面壁５７（左側５７ａ、右側５７ｂ）とでその周囲を囲まれて形成されている。なお、図３では、加熱室５０の左側の側面壁５７ａのみが見えている。また、加熱室５０の前面の開口部分の上側は、扉２０の内面で覆われている。
【００４４】
本実施形態のオーブントースターでは、背面壁５５、底面壁５６、側面壁５７がいずれも鉛直方向または水平方向に配置された略平坦面で構成されているのに対し、上面壁５４は、上側ヒータ５１が配置されている前後方向における中央部分から後方の部分が、下側へと傾斜する傾斜面５４ａを形成している。傾斜面５４ａにおける最も下側に位置する部分である背面壁５５と接続されている部分５４ｂの高さは、加熱室５０内での上側ヒータ５１の配置高さよりも低くなるように形成されている。このように、上面壁５４の後側部分を大きな傾斜を有する傾斜面５４ａとすることで、上側ヒータ５１から後方側（背面壁５５側）へと放射される輻射熱を下方に位置する調理網４１上の被調理物の方向へと反射させることができる。
【００４５】
さらに、本実施形態のオーブントースターでは、上面壁５４における上側ヒータ５１の配置位置よりも前方側の部分に、略三角柱状の断面を有して左右方向に延在する上面突起５８が形成されている。上面突起５８は、前方の扉２０の窓部２３を介して上側ヒータ５１が見えないようにする目的を有するため、正面側から見た際に上側ヒータ５１を覆い隠せる程度の高さを持って上面壁５４の表面から下方側に突出して形成されている。また、上側ヒータ５１の前方に、上側ヒータ５１と対向する傾斜面部分５８ａを備えた上面突起５８を設けることにより、上側ヒータ５１から前方側へと放射される輻射熱を反射して調理網４１上に載置される被調理物側に向かわせることができる。
【００４６】
さらに、本実施形態のオーブントースターでは、上面壁５４の後方部分の傾斜面５４ａが、後述する送風ユニット７０から吹き出された空気を上側ヒータ５１の方向に向けるとともに、上面壁５４の前方側に形成された上面突起５８が、上側ヒータ５１によって暖められた空気を調理網４１の前方部分へと向かわせる、気流ガイド部材としての役割を果たすことができる。また、上面壁５４に形成された傾斜面５４ａや上面突起５８は、調理網４１よりも上側に位置する加熱室５０の容積を低減する効果を有し、上側ヒータ５１と調理網４１との間に一定以上の間隔を確保して焼きムラをなくすことと、加熱室５０の容積を低減して被調理物を効率よく加熱することとを両立させている。
【００４７】
なお、本実施形態のオーブントースターにおいて、上面壁５４の後方側部分に図３に示した形状の傾斜面５４ａを形成すること、また、上面壁５４の前方側に断面が略三角柱状の上面突起５８を形成することは必須の要件ではない。例えば、上面壁５４の後方側部分に傾斜面を形成する場合でも、図３に示したような一枚板状に形成された傾斜面５４ａを設ける構成には限られず、二段もしくはそれ以上の段数の複数段の傾斜面を形成することができる。さらに、上面壁５４の後方側部分に後方上側に凸の湾曲面を形成することができる。さらにまた、上面壁５４の前方側に略三角柱状の上面突起５８を形成する替わりに、後方側と同じような前方側への傾斜面を配置することができる。また、上面壁５４を底面壁５６や側面壁５７などと同様に平坦な面で構成することも可能である。
【００４８】
本実施形態のオーブントースターでは、加熱室５０の周囲を形成する上面壁５４、背面壁５５、底面壁５６、側面壁５７を、高い熱反射特性を有するガルバリウム鋼板で構成しているため、上側ヒータ５１、下側ヒータ５２、５３の熱によって被調理物を効率よく加熱することができる。なお、加熱室５０の各壁面を構成する材料としては、ガルバリウム鋼板の他にも熱反射特性が高い各種の鋼板、例えばアルミめっきが施されたアルスター鋼板や剛性が高い鋼板である亜鉛メッキ鋼板などを用いることができる。
【００４９】
加熱室５０の下側かつ前方側の部分には、筐体１０の下側に配置された操作部３０を加熱室５０から分離する操作部隔離板５９が配置されている。本実施形態のオーブントースターでは、操作部３０の操作ダイアル３１などに接続されたスイッチ回路や、ヒータのオン／オフ制御などのオーブントースター全体を制御するための制御回路などが搭載された回路基板３４を、操作部３０の背面側の回路基板配置領域に配置している。操作部隔離板５９は、加熱室５０内の熱、特に最も近い位置に配置されている第１の下側ヒータ５２からの熱が、回路基板配置領域に配置された回路基板３４上のマイコンなどの電気回路部品に悪影響を与えることを回避できるように、ガルバリウム鋼板、アルスター鋼板などの熱反射特性が高い部材で形成されることが好ましい。
【００５０】
また、本実施形態のオーブントースターでは、扉２０の下方背面側に、湾曲した反射板２６が配置されている。図３に示すように、反射板２６は、扉２０が閉じられた調理時において第１の下側ヒータ５２からの輻射熱を調理網４１上に載置される被調理物の方向に反射して、扉２０に近い部分の被調理物の裏側面（下側に配置されている面）に十分な輻射熱が放射されるように機能する。また、反射板２６は、図２に示したように扉２０が開かれた状態では扉２０の回転に伴って前方側に引き出されて、操作部３０の上方および前方を覆う。このように、扉２０が開かれた状態において、反射板２６は調理網４１上に載置された被調理物などがこぼれて操作部３０を汚すことを防止するカバー部材としての機能を果たすことができる。
【００５１】
底面壁５６の下側には、底面壁５６に形成された開口部分を覆う大きさの平面を有するトレー１１が配置されている。トレー１１の前方側の扉２０の下部に配置される取っ手部１１ａに指をかけることで、ユーザはトレー１１を前方側へと引き出し、引き抜くことができる。
【００５２】
また、本実施形態のオーブントースターでは、左側の側壁面５７の上側ヒータ５１よりもやや下側の部分に、スチームを用いた調理を行う際に蒸気を吹き出す蒸気吹出部６０が形成されている。蒸気吹出部６０は、側面壁５７の外側に配置された蒸気ユニット６４で生成された蒸気を加熱室５０の内部空間へと噴出する蒸気吹出口６１と、蒸気吹出口６１の前方を遮って蒸気を加熱室５０内に拡散させるための蒸気誘導部材６２とで構成されている。
【００５３】
本実施形態のオーブントースターにおいて、蒸気誘導部材６２は、蒸気吹出口６１の前方と側方側を覆うとともに上下方向が開放されているため、蒸気ユニット６４で生成された蒸気は、蒸気誘導部材６２によって蒸気吹出口６１から真っ直ぐ加熱室５０内へと侵入することが遮られ、左側の側面壁５７ａに沿って上下方向へと向かって加熱室５０内に拡散される。
【００５４】
なお、前述したとおり、操作部３０に配置された貯水タンク３３内部の水は、図示しない吸水管によって給水ポンプ６３へと供給され、給水ポンプ６３によって、蒸気を噴出するタイミングに合わせて図示しない吸水管を介して蒸気ユニット６４へ送られる。蒸気ユニット６４は、内部に加熱ヒータを備えていて、給水ポンプ６３から送られた水を加熱して蒸気を生成するとともに、回路基板配置領域に配置された制御回路で制御されて、所定のタイミングで蒸気吹出口６１から蒸気を噴出する。
【００５５】
背面壁５５の中央部分における背面側、すなわち、加熱室５０の後方の外側には、背面壁５５によって加熱室５０と隔てられて送風ユニット７０が配置されている。
【００５６】
以下、図４に加えて、図５および図６を用いて、本実施形態にかかるオーブントースターの背面壁と背面壁の外側に配置された送風ユニットについて説明する。
【００５７】
図５は、背面壁を斜め下側方向から見た要部が拡大された分解斜視図である。
【００５８】
図６は、加熱室の背面壁部分の要部拡大断面図である。
【００５９】
なお、図５は、加熱室を前後方向の切断面で切断した状態で加熱室の外側から背面壁を見た状態を示しているが、図５における切断面は、加熱室の左右方向の中央部分である図３の切断面よりは少し右よりの位置にある。なお、図５において、調理網４１の図示は省略している。また、図６は、図３と同じく加熱室の左右中央部分の断面を側方から見た断面図である。
【００６０】
本実施形態のオーブントースターでは、背面壁５５に横長略矩形状の凹部５５ａが形成されている。凹部５５ａの底面５５ｂは、背面壁５５の表面から後方側に後退した位置に背面壁５５と略平行に形成された面であり、平面視したときに底面５５ｂの外側と内側はともに角部がＲ形状で形成された横長長方形状をしている。底面５５ｂで囲まれた中央部分５５ｃは、平面視したときに凹部５５ａの底面５５ｂとほぼ相似形状の角部がＲ形状で形成された横長長方形状となっていて、加熱室５０の前後方向において、中央部分５５ｃは凹部５５ａの周辺部分の背面壁５５と同じ位置にある平面となっている。
【００６１】
凹部５５ａの側面を構成する、中央部分５５ｃと底面５５ｂとを接続する内側側面５５ｄ、および、底面５５ｂと周辺の背面壁５５とを接続する外側側面５５ｅは、いずれも平面視したときに、角部がＲ形状で形成された横長の環状矩形形状となる傾斜面として形成されている。
【００６２】
中央部分５５ｃと底面５５ｂとを繋ぐ内側側面５５ｄの内、中央部分５５ｃの上方側に位置する上方傾斜面５５ｄ１には、傾斜方向に延在する複数の上方スリット５５ｆが、また、中央部分５５ｃの下方側に位置する下方傾斜面５５ｄ２には、傾斜方向に延在する複数の下方スリット５５ｇが、それぞれ形成されている。
【００６３】
また、中央部分５５ｃの中央には、円形の凹面部分５５ｈが形成されていて凹面部分５５ｈには複数の円形開口５５ｉが形成されている。なお、図６に示すように、中央部分５５ｃの凹面部分５５ｈは、その中心が加熱室５０内に配置された調理網４１の配置位置の後方となるように、言い換えると、調理網４１の左右方向中心線を後方に延長した際に背面壁５５と交わる部分が凹面部分５５ｈの中心と略一致するように構成されている。
【００６４】
背面壁５５に形成された凹部５５ａの底面５５ｂと、底面５５ｂで囲まれる中央部分５５ｃとを含む領域の裏側面、すなわち、加熱室５０側とは反対側の面には、カバー部材７１と送風ファン７２とで構成された送風ユニット７０が配置されている。
【００６５】
カバー部材７１は、底面とその底面の周囲から前方に延在する側壁面とを備えた有底枠状の部材であり、平面視したときに略矩形状となっている。カバー部材７１は、側壁面の先端部分に外側に延在するように形成された鍔状の固着面を有していて、この固着面が背面壁５５に形成された凹部５５ａの底面５５ｂの背面側にネジ留め等によって固着されている。このため、背面壁５５の、中央部分５５ｃと内側側面５５ｄ、さらに中央部分５５ｃ寄りに位置する底面５５ｂの背面側の部分と、カバー部材７１とで囲まれた部分とが、一つの閉鎖空間７３を形成している。なお、この閉鎖空間７３は、カバー部材７１と底面５５ｂとの間の固着部分において大きな隙間が形成されていなければよく、例えば、カバー部材７１の内側の閉鎖空間７３が、カバー部材７１の外側の空間に対して厳密に気密もしくは水密の状態にまで保たれている必要はない。
【００６６】
送風ファン７２は、カバー部材７１の内側の閉鎖空間７３内に配置された回転翼７２ａと、カバー部材７１のさらに後方側に配置されたモータ７２ｂと、カバー部材７１の底面を貫通して配置された回転軸７２ｃとで構成されている。
【００６７】
本実施形態のオーブントースターでは、送風ファン７２として多数枚の回転翼７２ａを備えたシロッコファンを用いているため、モータ７２ｂによって回転軸７２ｃが回転すると、回転翼７２ａの中心部分に吸い込まれた空気が回転翼７２ａの回転方向外側に向かって吹き出されることとなる。このため、本実施形態のオーブントースターにおいて、背面壁５５の中央に位置する中央部分５５ｃに形成された円形開口５５ｉが吸気口となり、背面壁５５に形成された凹部５５ａの内側側面５５ｄである上方傾斜面５５ｄ１に形成された上方スリット５５ｆと、下方傾斜面５５ｄ２に形成された下方スリット５５ｇとが吹き出し口となる。
【００６８】
なお、中央部分５５ｃに形成された凹面部分５５ｈの裏側面には、カバー部材７１の前端側に位置する開口部分に到達する、平面視したときに円形である円筒状の筒状部材７４が配置されている。このように、閉鎖空間７３内に円筒形の筒状部材７４が形成されていることで、円形開口５５ｉから回転翼７２ａの中心部分へと吸い込まれる加熱室５０から吸入された空気と、回転翼７２ａの周辺側に吹き出されて上方スリット５５ｆおよび下方スリット５５ｇから加熱室５０内へと吹き出す空気とが閉鎖空間７３内でぶつかり合わないようになっていて、モータ７２による吸排気効率が高められている。
【００６９】
カバー部材７１の背面側には、送風ファン７２のモータ７２ｂ（回転子部分）、さらに、モータ７２ｂを回転させるためのコイル部７５が配置されている。また、本実施形態のオーブントースターでは、送風ファン７２のモータ７２ｂ部分とコイル部７５とを覆う後方カバー１３が、筐体１０の背面１０ａから後方側に突出するように形成されている。
【００７０】
このように構成された本実施形態にかかるオーブントースターにおける、加熱室５０内の空気の流れについて図７を用いて説明する。
【００７１】
図７は、本実施形態のオーブントースターにおいて、送風ファンを動作させた場合の過熱室内の空気の動きを説明するモデル図である。
【００７２】
なお、図７は、図３と同じく加熱室５０の左右方向中央部の側方断面図である。
【００７３】
図７に示すように、調理網４１の配置位置よりも上側に位置する加熱室５０内の上側空間５０ａにおいては、送風ファン７２が動作すると、調理網４１上に載置された図示しない被調理物近傍の比較的温度の低い空気が矢印８１に示すように背面壁５５側へと引き寄せられる。調理網４１の上面側を背面壁５５に引き寄せられた空気は、背面壁５５の中央部分５５ｃの凹面部分５５ｈに形成された吸入口である円形開口５５ｉ（いずれも図５参照）を通って、閉鎖空間７３内に進入し、矢印８２として示すように、閉鎖空間７３に形成された筒状部材７４内を通って送風ファン７２の回転翼７２ａの中心部分へと移動する。
【００７４】
モータ７２ｂによって回転する送風ファン７２の回転翼７２ａによって上方側の周辺部分側へと吹き出された空気は、閉鎖空間７３内の背面壁５５の中央部分５５ｃの裏側部分を経て、矢印８３として示すように、上方傾斜面５５ｄ１に形成された上部吹き出し口である上方スリット５５ｆ（図５参照）から加熱室５０内へと吹き出される。
【００７５】
本実施形態のオーブントースターでは、上部吹き出し口である上方スリット５５ｆが、その表面の垂線が加熱室５０の上方側へと向かって傾斜する上方傾斜面５５ｄ１に形成されているため、加熱室５０内に吹き出された空気は、図中の矢印８４に示すように加熱室５０内を前方側へと、すなわち、上方に配置された上側ヒータ５１へと向かうこととなる。このとき、前述のとおり、加熱室５０の上面壁５４の後方部分が、上側ヒータ５１の配置位置と吹き出し口が形成された背面壁の５５の凹部５５ａ部分の近傍とを繋ぐように傾斜する傾斜面５４ａとして形成されているため、上方スリット５５ｆから吹き出された空気が上側ヒータ５１に吹き付けられる空気の流れ８４を形成することができる。
【００７６】
上側ヒータ５１に吹き付けられて温度が上昇した空気は、上面壁５４の前方に配置された上面突起５８によって、矢印８５のように下側に曲げられる。その後、矢印８６として示すように、加熱室５０の前面部分を覆う扉２０の内面に沿って調理網４１の前端部分位置へと移動して、調理網４１の上面側を背面壁５５へと移動する空気の流れ８１となる。
【００７７】
このようにして、調理網４１の配置位置よりも上方部分の加熱室５０の上側空間５０ａにおいて、背面壁５５に形成された上部吹き出し口（上方スリット５５ｆ）から吹き出された空気が、上方ヒータ５１によって加熱された後、調理網４１上に載置された被調理物の上面側を通って背面壁の中央部分に形成された吸入口（円形開口５５ｉ）から吸入されるという、空気の循環が形成される。
【００７８】
次に、調理網４１の配置位置よりも下側に位置する加熱室５０内の下側空間５０ｂでの空気の流れを説明する。
【００７９】
本実施形態のオーブントースターでは、加熱室内の空気を送風ユニットへと吸入する吸入口である円形開口５５ｉが、背面壁５５の調理網４１の配置位置の後方に配置されているため、調理網４１の下面側に位置する温度の低い空気は、矢印９１として示すように背面壁５５側へと引き寄せられる。
【００８０】
調理網４１の下面側を背面壁５５に引き寄せられた空気は、背面壁５５の中央部分５５ｃの凹面部分５５ｈに形成された吸入口である円形開口５５ｉ（いずれも図５参照）を通って、閉鎖空間７３内に進入し、矢印９２として示すように、閉鎖空間７３に形成された筒状部材７４内を通って送風ファン７２の回転翼７２ａの中心部分へと移動する。
【００８１】
回転する送風ファン７２の回転翼７２ａによって下方側の周辺部分側へと吹き出された空気は、閉鎖空間７３内の背面壁５５の中央部分５５ｃの裏側部分を経て、矢印９３として示すように、下方傾斜面５５ｄ２に形成された下部吹き出し口である下方スリット５５ｇ（図５参照）から、加熱室５０内へと吹き出される。
【００８２】
下部吹き出し口である下方スリット５５ｇは、その表面の垂線が加熱室５０の下方側へと向かって傾斜する下方傾斜面５５ｄ２に形成されているため、加熱室５０内に吹き出された空気は、矢印９４として示すように下方スリット５５ｇの正面に位置する第２の下方ヒータ５３へと到達し、さらに、矢印９５として示すように前方側に位置する第１の下方ヒータ５２の配置位置に到達する。
【００８３】
その後、矢印９６として示すように、反射板２６の湾曲形状に沿って上方へと向かって、調理網４１の前端部分下側位置へと移動して、調理網４１の下面側を背面壁５５へと移動する空気の流れ９１となる。このように、２つの下方ヒータ５２、５３で過熱された空気が、調理網４１上の前方側端部に下方側から吹き付けられることで、調理網４１の前方側に載置された被調理物の裏面を良好に加熱することができる。このため、例えば被調理物としての食パンに対して、調理網４１側に向けられた裏側面にも良好な焼き目を付けることができる。
【００８４】
このようにして、調理網４１の配置位置よりも下方部分の加熱室５０の下側空間５０ｂにおいても、背面壁５５に形成された下部吹き出し口（下方スリット５５ｇ）から吹き出された空気が、２つの下方ヒータ５２、５３によって加熱された後、調理網４１上に載置された被調理物の下面側を通って背面壁５５の中央部分に形成された吸入口（円形開口５５ｉ）から吸入されるという、空気の循環が形成される。
【００８５】
なお、図７にも示すように、本実施形態のオーブントースターでは、調理網４１の上側の上側空間５０ａよりも下側の下側空間５０ｂの方が、高さが低い分容積の小さな空間となっている。このため、上側空間５０ａにおける空気の循環速度と比較して下側空間５０ｂにおける空気の循環速度が速くなる。この結果、被調理物の裏側面における焼きムラの低減に対する大きな効果を得ることができる。
【００８６】
上述の通り、本実施形態にかかるオーブントースターでは、加熱室の背面壁の調理網の配置位置よりも上方部分に形成された上部吹き出し口と、調理網の配置位置よりも下方部分に形成された下部吹き出し口との２つの吹き出し口を備えることで、加熱室の上側の空間と下側の空間とのそれぞれにおいて、送風ユニットから吹き出された空気を循環させることができる。このため、調理網の上に多数の食パンが隙間無く並べられた場合など、調理網上に載置された被調理物が加熱室を上下の空間に分断するような状態となった場合でも、被調理物の両面に対してヒータからの輻射熱を良好に伝達することができ、焼きムラの少ない調理を行うことができる。また、加熱室の調理網の上方部分と下方部分とに、それぞれ良好な空気の循環が形成されることで、加熱ヒータの熱を効果的に被調理物に加えることができ、調理網上に載置された被調理物を回転させるなどの手間が省けるとともに、調理時間の短縮化を図ることができる。さらに、発熱源である上側ヒータと２つの下側ヒータに送風ユニットから低い温度の空気を吹き付けることで、これらヒータからの輻射熱を低減させる効果があり、被調理物においてヒータとの直線距離に応じて生じる加熱ムラを低減させる効果が得られる。
【００８７】
なお、上記実施形態では、吸気口と、上部吹き出し口、および、下部吹き出し口をいずれも加熱室の背面壁に設けた構成を説明した。このように、吸気口と上下の吹き出し口とを背面壁に設けることで、ヒータによって暖められた空気が加熱室内において低温となりやすい前方側へと吹き付けられるため、加熱室内の温度を良好に均一化することができる。また、特に左右方向に上下のヒータが配置されている場合には、吸気口と上下の吹き出し口とを背面壁に設けることで、上下の吹き出し口から吹き出された空気をヒータの側面から吹き付けることができるため、ヒータからの輻射熱を効果的に奪うとともに、効果的に空気の温度を上昇させることができる。
【００８８】
しかし、本開示にかかるオーブントースターにおいて、吸気口と上下の吹き出し口とを背面壁に形成することは必須の要件ではなく、吸気口と上下の吹き出し口とを左右いずれかの側面壁に設けることができる。また、吸気口と上下の吹き出し口を全て同じ壁面に形成せずに、吸気口と２つの吹き出し口の少なくとも一つを、異なる壁面に形成することもできる。
【００８９】
さらに、上記実施形態では、吸気口が調理網の配置位置と略同じ高さの壁面に形成されている例を示したが、吸気口の配置高さを調理網と異なる高さに形成することも可能である。特に、加熱室の調理網の上側の空間と下側の空間とに、それぞれ吸気口を設けることで、調理網の上下の空間での良好な空気の循環を形成することができる。なお、この場合には、送風ユニットの送風ファンを２つ配置することで良好な空気の循環を起こすことが可能となる。一方、上記実施形態で示したように、上部吹き出し口から吹き出された空気を吸気する吸気口と下部吹き出し口から吹き出された空気を吸気する吸気口を共通化して、吸気口の背面に１つの閉鎖空間を設けることにより、調理網の上側の空間内を循環した空気と調理網の下側の空間内を循環した空気とが閉鎖空間内で混じり合うため、両者に温度差があった場合にこれを均一化する効果が期待できる。
【００９０】
また、上記の実施形態において、調理網の下側に２つの下方ヒータが配置されたものを例示したが、調理網の下側に配置される下方ヒータの数は、２つのものに限られず、一つまたは三つ以上であってもよい。さらに、上方ヒータも二つ以上設けられている構成とすることができる。また、上方ヒータ、下方ヒータは、直線状のヒータが加熱室の左右方向に配置されているものに限らず、例えばＵ字形状のヒータを用いることができ、加熱室内の後方側から前方側に向かってＵ字形状のヒータを配置することも可能である。
【００９１】
なお、本実施形態の説明では、送風ファンの動作タイミングなどの動作制御についての説明は割愛したが、送風ファンの動作タイミングと送風ファンにより循環される空気の量（風量）は、調理網上に載置される被調理物の種類や量、ユーザの好みに対応した調理メニューなどに応じて適宜設定されるべきものである。また、送風ファンを複数個設けること、または、上部吹き出し口と下部吹き出し口の大きさや個数を変更することで、加熱室内部の上側空間と下側空間での空気循環のタイミングや循環風量を変更することができる。
【００９２】
この点において、上記実施形態では、上部吹き出し口である上方スリットと、下部吹き出し口である下方スリットとを、同じ形状で同じ個数、上下対称に設けたものを例示したが、これら吹き出し口の形状や配置数は適宜設定すべき事項である。また、上記実施形態では、上部吹き出し口を斜め上方側を向いた上方傾斜面に、下部吹き出し口を斜め下方側を向いた下方傾斜面に、それぞれ形成した例を示したが、上下の吹き出し口を鉛直に形成された加熱室の壁面に形成することができる。さらに、上下の吹き出し口を上方および下方へと向いた傾斜面に形成するために、上記の実施形態では、背面壁に矩形状の凹部を形成してこの凹部の側面を上方と下方とを向いた傾斜面としたが、上方と下方とを向いた傾斜面を加熱室の壁面から突出するように形成することができる。
【００９３】
また、加熱室の壁面の裏側に形成される送風ユニットの形状や構成、特に、送風ファンの種類や、閉鎖空間の形状とその形成方法は上記実施形態で例示したものに限られない。吸入口から吸入した加熱室内の空気を、送風ファンの回転によって上下の吹き出し口から効率よく加熱室内に吹き出すことできる構成として、用いられる送風ファンの形状や大きさ、吸入口から吹き出し口までの送風経路の形状、送風経路や吹き出し口近傍に形成される気流ガイド部材などを、適宜より好ましい形態とするべきである。
【００９４】
なお上記の実施形態では、加熱室内で空気を循環させるコンベクション方式のオーブントースターであって、なおかつ、蒸気発生ユニットを備えて加熱室内に送り込まれた蒸気を用いた調理を行うことができるスチーム調理機能が付いたオーブントースターを例示して説明した。しかし、本開示にかかるオーブントースターにおいて、スチーム調理機能を有していることは必須ではない。ただし、スチーム調理機能を備えたオーブントースターにおいて、蒸気を加熱室内に吹き出す蒸気吹き出し部を加熱室の左右いずれかの側面壁に配置することで、蒸気吹き出し部から吹き出された蒸気を左右方向に配置されたヒータに沿って流すことができるため、加熱室内の結露を起こりにくくすることができる。この場合、上記実施形態として例示したように、コンベクション機能を果たすための送風ユニットを加熱室の背面壁に配置することで、加熱室内における蒸気が流れる方向に対して空気が循環する方向を直交させることができ、加熱室内の蒸気の分散をより効率よく行うことができる。また、背面壁から前方側へと向かう空気の循環を生じさせることで、蒸気が扉のガラス窓に付着して曇らせてしまう事態を回避でき、スチームを用いた調理を行う場合でも、ユーザが加熱室内部の様子を確認することができる状態を維持できる。
【産業上の利用可能性】
【００９５】
本開示のオーブントースターは、加熱室内における調理網の上側の空間と下側の空間とで、それぞれ良好な空気の循環を形成することができる。このため、本開示のオーブントースターは、応用的な調理メニューを備えたオーブントースターをはじめとする各種のオーブントースターにおいて、焼きむらが低減されるオーブントースターを実現することができる点で有用である。
【符号の説明】
【００９６】
２０    扉
４１    調理網
５０    加熱室
５１    上側ヒータ
５２    第１の下側ヒータ（下側ヒータ）
５３    第２の下側ヒータ（下側ヒータ）
５５    背面壁（壁面）
５５ｆ  上方スリット（上部吹き出し口）
５５ｇ  下方スリット（下部吹き出し口）
５５ｉ  円形開口（吸入口）
７０    送風ユニット
【図１】
0006697671.tif 000002
【図２】
0006697671.tif 000003
【図３】
0006697671.tif 000004
【図４】
0006697671.tif 000005
【図５】
0006697671.tif 000006
【図６】
0006697671.tif 000007
【図７】
0006697671.tif 000008